(57)【要約】【課題】表面シートに配されたスキンケア剤が防漏カフに付着することによって起こる、排泄物の漏れが抑制され、スキンケア効果に優れた吸収性物品を提供すること。【解決手段】表面シート２に親水性のスキンケア剤１０が配されている。防漏カフ５の起立部５Ｓは、これを表面シート２側に倒伏させたときに平面視において吸収体４と重なる先端部５Ｓ１と、該先端部５Ｓ１と固定部５４との間に位置する基端部５Ｓ２とを有する。基端部５Ｓ２は、吸収体４から相対的に近い内側シート５１と、吸収体４から相対的に遠い位置にて内側シート５１に対向配置された外側シート５２とを含む。両シート５１，５２は、それぞれ、少なくとも片面が疎水性である。内側シート５１と外側シート５２との間に、両シート５１，５２が互いに厚み方向に離間された離間部５８が存している。【選択図】図３
2018130222.tif 000002
【特許請求の範囲】
【請求項１】
着用者の腹側から股間部を介して背側に延びる方向に相当する縦方向とこれに直交する横方向とを有し、液保持性の吸収体と、該吸収体の縦方向に沿う両側に沿って配され、他の部材との固定部を起点として着用者の肌に向かって起立する起立部を有する一対の防漏カフと、該一対の防漏カフ間に配され、該吸収体よりも着用者の肌に近い位置で該吸収体と重なる表面シートとを備える吸収性物品であって、
前記表面シートに親水性のスキンケア剤が配されており、
前記起立部は、該起立部を前記表面シート側に倒伏させたときに平面視において前記吸収体と重なる先端部と、該先端部と前記固定部との間に位置する基端部とを有し、
前記基端部は、前記吸収体から相対的に近い位置に配された内側シートと、該吸収体から相対的に遠い位置にて該内側シートに対向配置された外側シートとを含んで構成されており、該外側シート及び該内側シートは、それぞれ、少なくとも片面が疎水性であり、
前記内側シートと前記外側シートとの間に、両シートが互いに厚み方向に離間された離間部が存している吸収性物品。
【請求項２】
前記内側シートと前記外側シートとの間に疎水性のスペーサー部材が部分的に配され、両シート間における該スペーサー部材の非配置部に前記離間部が存している請求項１に記載の吸収性物品。
【請求項３】
前記内側シートと前記外側シートとの間に吸水性材料が配されている請求項１又は２に記載の吸収性物品。
【請求項４】
前記吸水性材料は、前記内側シートに固定され且つ前記外側シートに対して非接触に配されている請求項３に記載の吸収性物品。
【請求項５】
前記内側シートにおける前記外側シートとの対向面とは反対側の面が凹凸を有している請求項１〜４の何れか１項に記載の吸収性物品。
【発明の詳細な説明】
【技術分野】
【０００１】
本発明は、スキンケア剤が配された表面シートと、該表面シートの両側に配された防漏カフとを備えた吸収性物品に関する。
【背景技術】
【０００２】
使い捨ておむつ等の吸収性物品において、尿などの排泄物の股下からの横漏れを防止する防漏壁として、着用時に股下部において着用者の肌に向かって起立する防漏カフを備えたものが知られている。典型的な防漏カフは、疎水性の防漏カフ形成用シートの横方向一端側が裏面シートなどの他の部材に接合されて固定部を形成し、他端側が折り返されその折り返し部分の内部に弾性部材が伸長状態で固定された構成を有する。斯かる構成の防漏カフにおいて、防漏カフ形成用シートの折り返し部分は、股下部の前後に延在する腹側部及び背側部では表面シートなどの他の部材に接合され、股下部では他の部材と非接合の自由端部とされている。これにより吸収性物品の着用時には、横方向と直交する縦方向即ち着用者の前後方向に相当する方向に弾性部材の収縮力が働き、股下部で防漏カフが、前記固定部を起点としてその自由端部側を着用者の肌に向けて起立する。起立した防漏カフと表面シートとの間にポケットが形成され、股下からの体液の横漏れが防止される。
【０００３】
また、吸収性物品を着用すると、蒸れ等によって皮膚にかぶれが生じることがある。そこで、このような肌トラブルを防止するべく、吸収性物品における着用者の肌と接触し得る部位にスキンケア剤を配することが従来行われている。例えば特許文献１には、防漏カフを備えた使い捨ておむつの表面シートに、スキンケア効果を有するローションを配置することが記載されている。特許文献１記載技術は、表面シートにローションを配置することで懸念される吸収力の低下を抑制することを主たる課題とするもので、その課題解決手段は、表面シートにおけるローションの配置パターンによって特徴付けられる。
【先行技術文献】
【特許文献】
【０００４】
【特許文献１】特表２００８−５２２７７２号公報
【発明の概要】
【発明が解決しようとする課題】
【０００５】
吸収性物品に適用される有用なスキンケア剤には親水性のものがあるところ、その親水性のスキンケア剤を、疎水性の防漏カフを具備する吸収性物品の表面シートに配置した場合、防漏カフが表面シート側に倒伏してこれと接触した際に、スキンケア剤が表面シートから防漏カフに転移して該防漏カフの疎水性を低下させ、その防漏カフの疎水性を低下させた部分から、尿な便などの排泄物が漏れ出すおそれがある。
【０００６】
従って本発明の課題は、表面シートに配されたスキンケア剤が防漏カフに付着することによって起こる、排泄物の漏れが抑制され、スキンケア効果に優れた吸収性物品を提供することに関する。
【課題を解決するための手段】
【０００７】
本発明は、着用者の腹側から股間部を介して背側に延びる方向に相当する縦方向とこれに直交する横方向とを有し、液保持性の吸収体と、該吸収体の縦方向に沿う両側に沿って配され、他の部材との固定部を起点として着用者の肌に向かって起立する起立部を有する一対の防漏カフと、該一対の防漏カフ間に配され、該吸収体よりも着用者の肌に近い位置で該吸収体と重なる表面シートとを備える吸収性物品であって、前記表面シートに親水性のスキンケア剤が配されており、前記起立部は、該起立部を前記表面シート側に倒伏させたときに平面視において前記吸収体と重なる先端部と、該先端部と前記固定部との間に位置する基端部とを有し、前記基端部は、前記吸収体から相対的に近い位置に配された内側シートと、該吸収体から相対的に遠い位置にて該内側シートに対向配置された外側シートとを含んで構成されており、該外側シート及び該内側シートは、それぞれ、少なくとも片面が疎水性であり、前記内側シートと前記外側シートとの間に、両シートが互いに厚み方向に離間された離間部が存している吸収性物品である。
【発明の効果】
【０００８】
本発明によれば、表面シートに配されたスキンケア剤が防漏カフに付着することによって起こる、排泄物の漏れが抑制され、スキンケア効果に優れた吸収性物品が提供される。
【図面の簡単な説明】
【０００９】
【図１】図１は、本発明の吸収性物品の一実施形態である展開型使い捨ておむつの肌対向面即ち表面シート側を模式的に示す平面図であり、各部の弾性部材を伸長させて平面状に拡げた展開状態における平面図である。
【図２】図２は、図１のＩ−Ｉ線断面を模式的に示す横断面図であり、防漏カフがおむつの横方向内側に倒伏している状態を示す図である。
【図３】図３は、図２の片側の防漏カフ及びその近傍を拡大して模式的に示す横断面図である。
【図４】図４は、図３に示す防漏カフの起立状態を模式的に示す横断面図である。
【図５】図５は、本発明の吸収性物品の他の実施形態の図３相当図である。
【図６】図６は、本発明の吸収性物品のさらに他の実施形態の図４相当図である。
【図７】図７は、本発明の吸収性物品のさらに他の実施形態の図４相当図である。
【図８】図８は、本発明の吸収性物品のさらに他の実施形態の図４相当図である。
【図９】図９は、本発明の吸収性物品のさらに他の実施形態の図４相当図である。
【図１０】図１０は、本発明の吸収性物品のさらに他の実施形態の図４相当図である。
【発明を実施するための形態】
【００１０】
以下、本発明の吸収性物品を、その好ましい一実施形態である展開型使い捨ておむつに基づき図面を参照して説明する。図１及び図２に示す展開型使い捨ておむつ１Ａは、着用者の腹側から股間部を介して背側に延びる方向に相当する縦方向Ｘとこれに直交する横方向Ｙとを有すると共に、着用者の股間部に配される股下部Ｂ並びにその前後に延在する腹側部Ａ及び背側部Ｃを有する。腹側部Ａ、股下部Ｂ及び背側部Ｃは、おむつ１Ａを縦方向Ｘに三等分した場合の各領域に相当する。股下部Ｂは、おむつ１Ａの着用時に着用者のペニス、肛門等の排泄部に対向配置される排泄部対向部を有しており、該排泄部対向部は通常、おむつ１Ａの縦方向Ｘの中央部又はその近傍に位置している。
【００１１】
おむつ１Ａは、図１及び図２に示すように、液保持性の吸収体４と、吸収体４の縦方向Ｘに沿う両側縁４Ｓ，４Ｓよりも横方向Ｙの外方に位置する固定部５４を起点として着用者の肌に向かって起立する一対の防漏カフ５，５と、一対の防漏カフ５，５間に配され、吸収体４よりも着用者の肌に近い位置で吸収体４と重なる表面シート２と、吸収体４の非肌対向面側に配され、吸収体４よりも着用者の肌から遠い位置で吸収体４と重なる裏面シート３とを具備し、図１に示す如き平面視において、股下部Ｂに位置する縦方向Ｘの中央部が内方に括れ且つ一方向即ち縦方向Ｘに長い、縦長の砂時計状をなしている。表面シート２及び裏面シート３は、それぞれ、両シート２，３間に介在配置された吸収体４よりも大きな寸法を有し、図１に示す如き展開且つ伸長状態のおむつ１Ａの外形を形成している。表面シート２及び裏面シート３としては、この種の吸収性物品において通常用いられているものを特に制限なく用いることができる。表面シート２としては、例えば、液透過性を有する親水性の不織布や穿孔フィルムなどを用いることができ、これらの不織布やフィルムは一般に熱可塑性樹脂、例えば、ポリエチレンやポリプロピレン等のポリオレフィン樹脂、ポリエチレンテレフタレート等のポリエステル樹脂等から構成されている。裏面シート３としては、例えば、液不透過性のフィルムや液難透過性の不織布などを用いることができ、液不透過性のフィルムは透湿性を有していてもよい。
【００１２】
尚、本明細書において、「肌対向面」は、吸収性物品又はその構成部材（例えば表面シート２）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置が維持された状態を意味する。
【００１３】
吸収体４は、図１に示す如き平面視において縦方向Ｘに長い形状をなし、腹側部Ａから背側部Ｃにわたって延在している。吸収体４は、吸収性材料を含む液保持性の吸収性コア４０と、該吸収性コア４０の肌対向面及び非肌対向面を被覆するコアラップシート４１とを含んで構成されている。吸収性コア４０とコアラップシート４１との間は、ホットメルト型接着剤等の公知の接合手段により接合されている。吸収性コア４０は図１に示す如き平面視において、長手方向即ち縦方向Ｘの中央部が内方に括れた砂時計状をなしている。吸収性コア４０は吸収性材料を含むコア形成材料が積繊されてなる。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。吸収性コア４０は、親水性繊維の積繊体、あるいは該積繊体に吸水性ポリマー粒子を担持させたものであり得る。コアラップシート４１としては、透水性のシート材を用いることができ、例えば、紙、不織布等を用いることができる。おむつ１Ａにおいては、コアラップシート４１は、吸収性コア４０の横方向Ｙの長さの２倍以上３倍以下の幅を有する１枚の連続したシートであり、この１枚のコアラップシート４１は、図２に示すように、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆している。尚、コアラップシート４１の形態はこれに限定されず、例えば、吸収性コア４０の肌対向面を被覆する肌側コアラップシートと、吸収性コア４０の非肌対向面を被覆する非肌側コアラップシートとを含み、且つ両シートがそれぞれ別体のシートであっても良い。
【００１４】
図１に示すように、腹側部Ａ及び背側部Ｃそれぞれのウエスト部、即ち縦方向Ｘの端部における表面シート２と裏面シート３との間には、帯状の弾性部材１１が横方向Ｙに伸長状態で固定されており、これにより、おむつ１Ａの着用時における該ウエスト部には、弾性部材１１の収縮によりウエストギャザーが形成される。また、背側部Ｃにおける着用者の胴周りに対応する胴周り部における表面シート２と裏面シート３との間には、糸状の弾性部材１２が横方向Ｙに伸長状態で複数固定されており、これにより、おむつ１Ａの着用時における該胴周り部には、弾性部材１２の収縮により胴周りギャザーが形成される。また、着用者の脚周りに配される左右のレッグ部における防漏カフ形成用シート５０と裏面シート３との間には、糸状の弾性部材１３が縦方向Ｘに沿って伸長状態で固定されており、これにより、おむつ１Ａの着用時におけるレッグ部には、弾性部材１３の収縮により一対のレッグギャザーが形成される。表面シート２、裏面シート３、吸収体４、シート５０及び各弾性部材１１〜１３は、ホットメルト型接着剤等の公知の接合手段により互いに接合されている。
【００１５】
図１に示すように、おむつ１Ａの背側部Ｃの縦方向Ｘに沿う両側縁部には、一対のファスニングテープ６，６が設けられている。ファスニングテープ６には、機械的面ファスナーのオス部材からなる止着部６１が取り付けられている。また、おむつ１Ａの腹側部Ａの非肌対向面には、機械的面ファスナーのメス部材からなる被止着領域７が形成されている。被止着領域７は、腹側部Ａの非肌対向面を形成する裏面シート３の非肌対向面に、機械的面ファスナーのメス部材を公知の接合手段、例えば接着剤やヒートシール等で接合固定して形成されており、ファスニングテープ６の止着部６１を着脱自在に止着可能になされている。
【００１６】
おむつ１Ａにおいては、図３に示すように、表面シート２に親水性のスキンケア剤１０が配されている。このように、おむつ１Ａにおける着用者の肌と直接接触し得る部位である表面シート２にスキンケア剤１０が配されることで、おむつ１Ａの着用中における着用者の皮膚のかぶれ等の肌トラブルが効果的に抑制され得る。
【００１７】
表面シート２におけるスキンケア剤１０の配置パターンは特に制限されず、例えば、表面シート２の肌対向面の全域にまんべんなく配置してもよく、あるいは、表面シート２の肌対向面にスキンケア剤１０の存在域と非存在域とが形成されるように、スキンケア剤１０を不連続に配置してもよい。後者の不連続配置の一例として、スキンケア剤１０の存在域と非存在域とが所定の幅をもって縦方向Ｘに延び、且つ両域が横方向Ｙに交互に配置される形態を例示できる。尚、図３では、理解容易の観点から、表面シート２の肌対向面にスキンケア剤１０が積層されているように記載されているが、実際にこのような積層状態が形成されているとは限らず、スキンケア剤１０の種類、表面シート２の材質などによっては、表面シート２にスキンケア剤１０が内包されている形態などもあり得る。
【００１８】
表面シート２にスキンケア剤１０を配置する方法は特に限定されず、スキンケア剤１０の種類などに応じて公知の方法を適宜選択できる。典型的には、必要に応じて適当な溶媒に溶解させるかあるいは加熱するなどして調製された、流動性を有するスキンケア剤１０を、塗布、噴霧、浸漬などの方法で、表面シート２の肌対向面に付着させる。スキンケア剤１０の付着手段として、例えば、ダイコーター方式、スロットスプレー方式、カーテンスプレー方式、メルトブローン方式、スパイラルスプレー方式、グラビア方式、ビード方式が挙げられる。
【００１９】
表面シート２におけるスキンケア剤１０の付着量は、スキンケア剤１０の種類などに応じて十分なスキンケア効果が発現する範囲で適宜選択すればよく特に制限されないが、坪量として、好ましくは０．０５ｇ／ｍ２以上、さらに好ましくは０．１ｇ／ｍ２以上、そして、好ましくは５．０ｇ／ｍ２以下、さらに好ましくは３．０ｇ／ｍ２以下である。
【００２０】
スキンケア剤１０が配される表面シート２として典型的なものは、熱可塑性樹脂から構成される繊維を含む疎水性不織布であり、表面シート２は本来的に疎水性である場合が多い。このような表面シート２に親水性のスキンケア剤１０を付着させる場合、その付着に先立ち、表面シート２に親水化処理を施しておくことができる。具体的には例えば、表面シート２が各種の不織布からなる場合には、該不織布の構成繊維の表面に親水化剤を付着させたり、該構成繊維中に親水化剤を練り込んだりすることで、親水化処理を行うことができる。即ち、表面シート２は、疎水性シート材（例えば疎水性不織布）に親水化処理が施されたものであり得、その場合、その親水化処理の後に、表面シート２の構成繊維の表面にスキンケア剤１０を付着すればよい。表面シート２の坪量は、好ましくは５ｇ／ｍ２以上、さらに好ましくは１０ｇ／ｍ２以上、そして、好ましくは４０ｇ／ｍ２以下、さらに好ましくは５０ｇ／ｍ２以下である。
【００２１】
表面シート２の肌対向面は、親水性のスキンケア剤１０が配されていること等に起因して、親水性である。本発明において、表面シートや防漏カフ形成用シートなどのシートや後述するスペーサー部材あるいは所定の面積を有する領域の親水度は、下記方法で測定される水との接触角に基づき評価される。水との接触角が小さいほど親水性が高く（疎水性が低く）、該接触角が大きいほど親水性が低い（疎水性が高い）。また、水との接触角が９０度未満であれば親水性、９０度以上であれば疎水性である。従って、親水性である表面シート２の肌対向面の水との接触角は、９０度未満であり、好ましくは５５度以上８５度以下である。
【００２２】
＜接触角の測定方法＞
吸収性物品における測定対象たる構成部材（表面シートなど）から繊維を取り出し、その繊維に対する水の接触角を測定する。測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を２０ピコリットルに設定して、水滴を、繊維の真上に滴下する。滴下の様子を水平に設置されたカメラに接続された高速度録画装置に録画する。録画装置は後に画像解析をする観点から、高速度キャプチャー装置が組み込まれたパーソナルコンピュータが望ましい。本測定では、１７ｍｓｅｃ毎に画像が録画される。録画された映像において、繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維とのなす角を算出し、接触角とする。測定対象物から取り出した繊維は、繊維長１ｍｍに裁断し、該繊維を接触角計のサンプル台に載せて、水平に維持する。繊維１本につき異なる２箇所の接触角を測定する。Ｎ＝５本の接触角を小数点以下１桁まで計測し、合計１０箇所の測定値を平均した値（小数点以下第２桁で四捨五入）を、当該繊維の水との接触角と定義する。測定環境は、室温２２±２℃、湿度６５±２％ＲＨとする。
【００２３】
尚、接触角の測定に際し、吸収性物品からその測定対象たる表面シートなどの構成部材を取り出す場合において、その構成部材が、接着剤、融着などによって他の構成部材に固定されている場合には、その固定部分を、溶剤の塗布、ドライヤーによる熱風吹き付け、コールドスプレー（例えばニチバン株式会社製の市販品）の吹き付けなどによって除去してから取り出す。
【００２４】
本発明で用いるスキンケア剤について説明する。この種の吸収性物品で使用されるスキンケア剤には、親水性のものと疎水性のものがあるが、本発明で用いるスキンケア剤は親水性である。スキンケア剤が親水性であることで、肌への親和性が高まるという効果が奏される。
【００２５】
本発明で用いるスキンケア剤としては、親水性であって、着用者の肌に対して保護、治癒等の効能を有するものを特に制限なく用いることができる。例えば、好ましいスキンケア剤として、下記式（Ｉ）で表されるジアミド誘導体が挙げられる。下記式（Ｉ）で表されるジアミド誘導体は、国際公開公報ＷＯ００／６１０９７号に記載されている発明のジアミド誘導体であり、角質層の水分保持能力及びバリヤ機能を改善する、という薬効を有している。該ジアミド誘導体が、おむつ１の着用中に着用者の肌に移行すると、油性スキンケア剤として機能し、肌のかぶれを抑制／改善することができる。
【００２６】
【化１】
2018130222.tif 000003
【００２７】
スキンケア剤として前記ジアミド誘導体を使用する場合、使用するジアミド誘導体は１種のみであってもよいし、２種以上を併用することもできる。
【００２８】
本発明で使用可能な他の親水性のスキンケア剤としては、例えば化粧品の分野においてエモリエント剤として用いられているスキンケア剤等を用いることができる。他の親水性のスキンケア剤の具体例としては、流動パラフィン、シリコーンオイル、動植物油（オリーブ油、ホオバ油、ベニバナ油、スクワラン及びスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス、Ｃ１２〜Ｃ２２脂肪酸、Ｃ１２〜Ｃ４４脂肪酸エーテル、Ｃ１２〜Ｃ２２脂肪アルコール、ワセリン、脂肪酸ソルビタンエステル（モノエステル、ジエステル、及びトリエステルのいずれでもよい。）、ポリオキシエチレン脂肪酸ソルビタンエステル（モノエステル、ジエステル、及びトリエステルのいずれでもよい。）、金属石験（ステアリン酸マグネシウム等）、ショ糖脂肪酸エステル、シクロデキストリン脂肪酸エステル、シリコーン、シリコーン系レジン、特開２００４−２９８６４３号公報又は特表２００８−５２２７７２号公報に記載されている発明で使用されるエモリエント剤やエモリエント剤と固定化剤を含むローション組成物等が挙げられる。前記各種の親水性のスキンケア剤は、１種を単独で使用しても良いし、２種以上を併用しても良い。
【００２９】
前記各種の親水性のスキンケア剤の中でも特に、Ｃ１２〜Ｃ２２脂肪アルコール（好ましくはステアリルアルコール）と前記式（Ｉ）のジアミド誘導体との混合物は、表面シートに配された場合に該表面シートの体液透過性を阻害しないため好ましい。スキンケア剤の肌への移行性、スキンケア効果、使用時の感触、及び表面シートの体液透過性の観点から、ステアリルアルコールと前記式（Ｉ）のジアミド誘導体との混合質量比は、ステアリルアルコール／ジアミド誘導体として、９０／１０〜５０／５０の範囲にあることが好ましい。前記混合物は、加熱してその流動性を高めてから、表面シート上に塗布して付着させることが好ましい。また、前記混合物を表面シート２に付着させた後は、常温で放置することにより、該混合物の流動性を低下させて、該表面シートに保持され易くすることが好ましい。
【００３０】
表面シートにスキンケア剤を配する際には、種々のコーティング方式の塗工手段を特に制限なく利用でき、例えば、ダイスコーター方式、スロットスプレー方式、カーテンスプレー方式、メルトブローン方式、スパイラルスプレー方式、グラビア方式、ビード方式等が挙げられる。
【００３１】
おむつ１Ａの主たる特徴部分の１つである防漏カフ５について説明すると、一対の防漏カフ５，５は、それぞれ、図２に示すように、おむつ１Ａの縦方向Ｘの全長にわたって連続する１枚の防漏カフ形成用シート５０と、該シート５０に縦方向Ｘに伸長状態で固定された１本又は複数本（図示の形態では２本）の糸状の防漏カフ形成用弾性部材５３とを含んで構成されている。
【００３２】
防漏カフ形成用シート５０は、図２及び図３に示すように、吸収体４の縦方向Ｘに沿う側縁４Ｓを横方向Ｙに跨ぐように配され、縦方向Ｘに沿う内側縁部５５と、該内側縁部５５よりも横方向Ｙの外方に位置して縦方向Ｘに沿う外側縁部５６とを有し、図１に示す如き展開且つ伸長状態のおむつ１Ａの平面視において、内側縁部５５は吸収体４と重なり、外側縁部５６は吸収体４の側縁４Ｓよりも横方向Ｙの外方に位置している。内側縁部５５は、少なくとも股下部Ｂ、具体的には例えば、股下部Ｂ並びに腹側部Ａ及び背側部Ｃにおける股下部Ｂ寄りの部分においては、表面シート２をはじめとするおむつ１Ａの他の構成部材と非接合の自由端部とされ、腹側部Ａ及び背側部Ｃにおける縦方向Ｘの前後端部においては、表面シート２に接合されている（図示せず）。外側縁部５６は、縦方向Ｘの全長にわたって、おむつ１Ａを構成する他の部材（図示の形態では裏面シート３）に接合されている。防漏カフ形成用弾性部材５３は、縦方向Ｘに伸長状態でシート５０の内側縁部５５（自由端部）に固定されている。以上の構成により、おむつ１Ａの着用時には縦方向Ｘに弾性部材５３の収縮力が働き、防漏カフ５は、少なくとも内側縁部５５が自由端部とされている領域である股下部Ｂにおいて、図４に示すように、シート５０の他の部材（裏面シート３）との固定部５４を起点として、内側縁部５５側を図示しない着用者の肌に向けて起立する。このように防漏カフ５は、他の部材との固定部５４を起点として着用者の肌に向かって起立する起立部５Ｓを有する。起立部５Ｓは、防漏カフ５における、他の部材に対して非固定の部分である。
【００３３】
防漏カフ形成用シート５０としては、一部（片面）が親水性のシート材料を用いることもできるが、典型的には、全部（両面）が疎水性のシート材料が用いられる。疎水性のシート材料としては、例えば、疎水性の不織布として、エアスルー不織布、スパンボンド不織布、ＳＭＳ不織布、ＳＭＭＳ不織布、ＳＳＭＳ不織布等を用いることができ、その他にも、疎水性の樹脂フィルム、該樹脂フィルムと該不織布との積層体等を用いることができる。ここでいう「Ｓ」はスパンボンド不織布、「Ｍ」はメルトブローン不織布を意味する。防漏カフ形成用シート５０は少なくとも一部（片面）が疎水性であり、その疎水性部分の、前記方法により測定される水との接触角は、９０度以上である。
【００３４】
防漏カフ形成用シート５０の他の部材（図示の形態では裏面シート３）との固定部５４は、前記の通り、防漏カフ５（シート５０）が起立する際の起点となるもので、横方向Ｙに所定の長さを持って縦方向Ｘに延在している。おむつ１Ａにおいて固定部５４は、ホットメルト接着剤等の疎水性接着剤が塗布されて形成されており、図１に示す如き平面視において縦方向Ｘに延びる連続した直線状をなしている。固定部５４は、平面視において縦方向Ｘに延在していれば良く、その平面視形状は直線状に限定されず、例えば、波線、湾曲線、ジグザグ線などでも良く、また、１本の連続線でなくても良く、比較的長さの短い小固定部と非固定部とが縦方向Ｘに交互に配置された構成の破断線でも良い。
【００３５】
防漏カフ５における他の部材に対して非固定の起立部５Ｓは、図３に示すように、該起立部５Ｓを表面シート２側即ち横方向Ｙの内側に倒伏させたときに、図１に示す如きおむつ１Ａの平面視において、吸収体４と重なる先端部５Ｓ１と、該先端部５ｓＳ１と固定部５４との間に位置する基端部５Ｓ２とを有する。図３に示す如き起立部５Ｓの倒伏状態において、先端部５Ｓ１は、吸収体４の側縁４Ｓから横方向Ｙの内方に延出し、基端部５Ｓ２は、吸収体４とは重ならずに該側縁４Ｓから固定部５４にわたって連続している。吸収体４の側縁４Ｓは、表面シート２側に倒伏された状態の起立部５Ｓにおいて、先端部５Ｓ１と基端部５Ｓ２との境界となる。
【００３６】
起立部５Ｓの基端部５Ｓ２は、図３に示すように、吸収体４から相対的に近い位置に配された内側シート５１と、吸収体４から相対的に遠い位置にて内側シート５１に対向配置された外側シート５２とを含んで構成されている。おむつ１Ａにおいては、基端部５Ｓ２のみならず先端部５Ｓ１も、基端部５Ｓ２と同様に両シート５１，５２を含んで構成されている。両シート５１，５２は、それぞれ、少なくとも片面が疎水性であり、両面が疎水性でもよい。
【００３７】
おむつ１Ａにおいては、防漏カフ形成用シート５０は図３に示すように１枚の帯状シートからなり、該帯状シートは縦方向Ｘに延びる図示しない折曲線にて横方向Ｙに２つ折りされ、その折曲線側（自由端側）が、防漏カフ５の内側縁部５５、該折り線側とは反対側即ち該帯状シートの縦方向Ｘに沿う側縁側（固定端側）が、防漏カフ５の外側縁部５６とされているところ、前記の内側シート５１及び外側シート５２は、それぞれ、１枚のシート５０（帯状シート）の一部であり、両シート５１，５２で連続した１枚のシート５０を構成している。
【００３８】
おむつ１Ａの主たる特徴の１つとして、図２〜図４に示すように、基端部５Ｓ２における内側シート５１と外側シート５２との間に、両シート５１，５２が互いに厚み方向に離間された離間部５８が存している点が挙げられる。離間部５８は、少なくとも股下部Ｂに存在し、さらに腹側部Ａ及び／又は背側部Ｃに存在していてもよい。
【００３９】
おむつ１Ａにおいては、図３及び図４に示すように、基端部５Ｓ２における内側シート５１と外側シート５２との間に疎水性のスペーサー部材８が部分的に配され、両シート５１，５２間におけるスペーサー部材８の非配置部に離間部５８が存している。スペーサー部材８は、内側シート５１に固定されてもよく、外側シート５２に固定されてもよく、両シート５１，５２の双方に固定されてもよい。
【００４０】
スペーサー部材８は、図１に示す如きおむつ１Ａの平面視において縦方向Ｘに延びる連続直線状をなしており、図示の形態では、基端部５Ｓ２において３個の直線状のスペーサー部材８が横方向Ｙに間欠配置されている。スペーサー部材８はシート５１，５２の厚み方向に所定の厚みを有している。このように、相対向する２枚のシート５１，５２間にスペーサー部材８が複数介在配置されていることで、少なくとも隣接する２個のスペーサー部材８，８間（スペーサー部材８の非配置部）に、両シート５１，５２が互いに厚み方向に離間された離間部５８が形成される。
【００４１】
防漏カフ５のこのような特徴的な構成により、表面シート２に配されたスキンケア剤１０が防漏カフ５の起立部５Ｓ、特に基端部５Ｓ２に付着することによって起こる、排泄物の漏れが効果的に抑制される。即ち、少なくとも片面が本来的に疎水性である、基端部５Ｓ２の表面シート２側即ち内側シート５１に、親水性のスキンケア剤１０が付着することによってその付着部の疎水度が低下し、その疎水度が低下した部分から排泄物がおむつ１Ａの外部に漏れ出すことが懸念される事態となっても、基端部５Ｓ２は内側シート５１と外側シート５２という、２層の疎水層を含んで構成されており、内側シート５１にスキンケア剤１０が付着してもその横方向Ｙの外側には疎水層を有する外側シート５２が配されているため、内側シート５１の疎水度低下部分（スキンケア剤１０の付着部）を透過した排泄物は、外側シート５２によって堰き止められる。また、基端部５Ｓ２には両シート５１，５２どうしの接触が無い空間部である離間部５８が形成されており、この離間部５８では内側シート５１から外側シート５２への排泄物の移行が起こり難いため、外側シート５２に付着する排泄物の量が抑制され、前記の外側シート５２による排泄物の堰き止め効果と相俟って、排泄物が外側シート５２を越えておむつ１Ａの外部に漏れ出す不都合が効果的に防止される。
【００４２】
また、おむつ１Ａにおいては、基端部５Ｓ２における内側シート５１と外側シート５２との間に疎水性のスペーサー部材８が配されていることによって、離間部５８の安定性が一層向上しているため、排泄物の漏れ防止がより一層効果的且つ安定的になされる。また、スペーサー部材８が基端部５Ｓ２における両シート５１，５２間の全体にまんべんなく配されていると、防漏カフ５の柔軟性が損なわれる結果、防漏カフ５の機能低下を招くことが懸念されるが、おむつ１Ａにおいては、スペーサー部材８は基端部５Ｓ２に部分的に配されているため、そのような懸念は払拭されている。また、離間部５８をはじめとする、基端部５Ｓ２におけるスペーサー部材８の非配置部は、排泄物を取り込むスペースとしても機能し得るため、表面シート２と防漏カフ５（内側シート５１）との間に溜まる排泄物の量が低減し、排泄物の拡散が効果的に抑制される。
【００４３】
前述したように、両シート５１，５２は少なくとも片面が疎水性であればよく、例えば内側シート５１に関して、外面（表面シート２側）が親水性、内面（外側シート５２側）が疎水性の形態でもよく、これとは逆の形態でもよいが、内側シート５１がこのように親水性の面及び疎水性の面の両方を有する場合は、前者の形態が好ましい。内側シート５１の表面シート２側の面が親水性、外側シート５２側の面が疎水性であると、表面シート２から転移したスキンケア剤１０の外側シート５２側への染み出しが、より一層効果的に抑制される。
【００４４】
スペーサー部材８としては、離間部５８の形成及び維持に有用な疎水性部材を用いることができ、例えば、疎水性のホットメルト接着剤の如き、疎水性接着剤が挙げられる。つまり、基端部５Ｓ２における内側シート５１と外側シート５２との間に疎水性接着剤を部分的に塗布することで、スペーサー部材８を形成することができる。スペーサー部材８の他の例としては、疎水性の不織布、樹脂製フィルム、不織布と樹脂製フィルムとを貼り合わせてなる複合物などが挙げられる。
【００４５】
スペーサー部材８による作用効果をより確実に奏させるようにする観点から、スペーサー部材８の各部の寸法等は下記のように設定することが好ましい。
スペーサー部材８の、防漏カフ形成用シート５０（シート５１，５２）の厚み方向における長さ（スペーサー部材８の厚み）８１（図４参照）は、好ましくは０．１ｍｍ以上、さらに好ましくは０．３ｍｍ以上、そして、好ましくは２．５ｍｍ以下、さらに好ましくは２．０ｍｍ以下である。
スペーサー部材８の防漏カフ幅方向Ｙ１の長さ８２（図４参照）は、好ましくは０．１ｍｍ以上、さらに好ましくは０．３ｍｍ以上、そして、好ましくは５．０ｍｍ以下、さらに好ましくは３．０ｍｍ以下である。防漏カフ幅方向Ｙ１は、防漏カフ５（防漏カフ形成用シート５０）の長手方向と直交する方向である。
隣り合う２個のスペーサー部材８，８の間隔８３（図４参照）、即ち離間部５８の防漏カフ幅方向Ｙ１の長さは、好ましくは１．０ｍｍ以上、さらに好ましくは２．０ｍｍ以上、そして、好ましくは５．０ｍｍ以下、さらに好ましくは４．０ｍｍ以下である。
片側の防漏カフ５（基端部５Ｓ２）における、防漏カフ幅方向Ｙ１に沿って配置されているスペーサー部材８の数は、例えば図４では３個であるが、好ましくは３個以上、さらに好ましくは５個以上、そして、好ましくは２０個以下、さらに好ましくは１５個以下である。
【００４６】
以下、本発明の吸収性物品の他の実施形態について図５〜図１０を参照して説明する。後述する他の実施形態については、前述した実施形態のおむつ１Ａと異なる構成部分を主として説明し、同様の構成部分は同一の符号を付して説明を省略する。特に説明しない構成部分は、おむつ１Ａについての説明が適宜適用される。
【００４７】
おむつ１Ａにおいては、防漏カフ５の外側縁部５６が吸収体４の側縁４Ｓよりも横方向Ｙの外方に位置していたが（図３等参照）、図５に示すおむつ１Ｂにおいては、防漏カフ５の外側縁部５６及びその近傍が吸収体４と裏面シート３との間に配されており、外側縁部５６が吸収体４の側縁４Ｓよりも横方向Ｙの内方に位置している。おむつ１Ｂにおいては、防漏カフ５（防漏カフ形成用シート５０）における吸収体４と裏面シート３との間に配されている部分が、起立部５Ｓが着用者の肌に向かって起立する際の固定部５４として機能する。つまり、おむつ１Ｂでは、防漏カフ５の他の部材との固定部５４が図１に示す如き平面視において吸収体４と重なっており、この点で、固定部５４が吸収体４の側縁４Ｓよりも横方向Ｙの外方に位置するおむつ１Ａ（図３参照）と相違する。おむつ１Ｂによっても、おむつ１Ａと同様の効果が奏される。
【００４８】
図６に示すおむつ１Ｃにおいては、基端部５Ｓ２における内側シート５１と外側シート５２との間に吸水性材料９が配されている。吸水性材料９は、平面視において一方向に長い帯状をなし、その長手方向を縦方向Ｘに一致させて両シートは５１，５２間に介在配置されている。吸水性材料９は、内側シート５１の内面（外側シート５２との対向面）に固定され、外側シート５２に対して非接触に配されている。吸水性材料９と外側シート５２との間に離間部５８が存している。
【００４９】
吸水性材料９の一例として、吸水性ポリマー、親水性繊維等の吸水性材料を含むシート状の吸収構造体が挙げられ、該吸収構造体として、湿潤状態の吸水性ポリマーに生じる粘着力や別に添加した接着剤や接着性繊維等のバインダーを介して、構成繊維間や構成繊維と吸水性ポリマーとの間を結合させてシート状とした吸収性シートが挙げられる。吸収性シートは、吸水性ポリマーを含まずに、木材パルプ等の親水性繊維のみから構成されていてもよい。吸水性材料９としての吸収性シートの無荷重下における厚みは、好ましくは０．５ｍｍ以上、さらに好ましくは０．８ｍｍ以上、そして、好ましくは２．０ｍｍ以下、さらに好ましくは１．５ｍｍ以下である。
【００５０】
おむつ１Ｃによっても、おむつ１Ａと同様の効果が奏される。特におむつ１Ｃにおいては、基端部５Ｓ２における内側シート５１と外側シート５２との間に表面疎水性の吸水性材料９が配されているため、離間部５８の安定性に優れ、また、吸水性材料９自体が排泄物を吸収し得るため、内側シート５１から外側シート５２への排泄物の移行が起こり難く、表面シート２に配されたスキンケア剤１０が防漏カフ５に付着することによって起こる、排泄物の漏れが効果的に抑制される。
【００５１】
図７に示すおむつ１Ｄにおいては、基端部５Ｓ２における内側シート５１と外側シート５２との間に、シート５１側から順に、吸水性材料９、複数（３個）のスペーサー部材８が配されている。隣り合うスペーサー部材８、８間に離間部５８が存している。スペーサー部材８は、吸水性材料９に固定されてもよく、外側シート５２に固定されてもよく、吸水性材料９及び外側シート５２の双方に固定されてもよい。おむつ１Ｄによっても、おむつ１Ａと同様の効果が奏される。特におむつ１Ｄにおいては、両シート５１，５２間に吸水性材料９及びスペーサー部材８が配されているため、内側シート５１から外側シート５２への排泄物の移行が効果的に阻害され、防漏カフ５からの排泄物の漏れ出し防止効果に特に優れる。
【００５２】
図８に示すおむつ１Ｅ、図９に示すおむつ１Ｆ、図１０に示すおむつ１Ｇは何れも、基端部５Ｓ２の内側シート５１における外側シート５２との対向面とは反対側の面、即ちシート５１の外面が、凹凸５９を有している点で特徴付けられる。このように、内側シート５１の外面が凹凸面であると、シート５１の外面が凹凸の無い平坦面である場合に比して、防漏カフ５の起立部５Ｓが表面シート２側に倒伏してシート５１が表面シート２と接触した際の、シート５１の表面シート２との接触面積が低減するため、表面シート２に配されているスキンケア剤１０のシート５１への転移が抑制され、結果として、防漏カフ５からの排泄物の漏れ出しが効果的に抑制される。また、内側シート５１に凹凸５９が付与されていることで、防漏カフ５（起立部５Ｓ）の柔軟性が向上することも期待できる。内側シート５１に凹凸５９を付与する方法としては、例えば、凹凸が付与されていない内側シート用原反シートを、歯と歯底とが周方向に交互に形成された一対の歯溝ロール間に導入する方法が挙げられる。
【００５３】
図８に示すおむつ１Ｅにおいては、基端部５Ｓ２における内側シート５１と外側シート５２との間に、スペーサー部材８、吸水性材料９などの他の部材が配されておらず、両シート５１，５２間に離間部５８が存している。
図９に示すおむつ１Ｆにおいては、基端部５Ｓ２における内側シート５１と外側シート５２との間にスペーサー部材８が複数（図示の形態では３個）配され、その複数のスペーサー部材８の近傍に離間部５８が存している。
図１０に示すおむつ１Ｇにおいては、基端部５Ｓ２における内側シート５１の内面に吸水性材料９が固定され、該吸水性材料９と外側シート５２との間に離間部５８が存している。
【００５４】
以上、本発明をその実施形態に基づいて説明したが、本発明は、前記実施形態に制限されることなく適宜変更が可能である。例えば、吸収性や防漏性等の向上の観点から、表面シート２と吸収体４（コアラップシート４１）との間に、サブレイヤーなどとも呼ばれる、紙あるいは各種不織布からなる液透過性シートが介在配置されていても良い。同様の観点から、おむつ１の肌対向面に、表面シート２及び吸収体４が一体的に圧密化されてなる溝が形成されていても良い。
本発明は、前記実施形態の如き展開型の使い捨ておむつに制限されず、人体から排出される体液（尿、軟便、経血、汗等）の吸収に用いられる物品を広く包含し、パンツ型の使い捨ておむつ、生理用ナプキン、生理用ショーツ等も包含される。
前述した一の実施形態のみが有する部分は、すべて適宜相互に利用できる。
【符号の説明】
【００５５】
１Ａ，１Ｂ，１Ｃ，１Ｄ，１Ｅ，１Ｆ，１Ｇ  展開型使い捨ておむつ（吸収性物品）
２  表面シート
３  裏面シート
４  吸収体
４Ｓ  吸収体の側縁
５  防漏カフ
５Ｓ  起立部
５Ｓ１  先端部
５Ｓ２  基端部
５０  防漏カフ形成用シート
５１  内側シート
５２  外側シート
５３  防漏カフ形成用弾性部材
５４  固定部
５５  防漏カフ形成用シートの内側縁部
５６  防漏カフ形成用シートの外側縁部
５７  防漏カフにおける吸収体の側縁との重なり部
５８  離間部
５９  凹凸
８  スペーサー部材
９  吸水性材料
１０  スキンケア剤
Ａ  腹側部
Ｂ  股下部
Ｃ  背側部
Ｘ  縦方向
Ｙ  横方向
【図１】
2018130222.tif 000004
【図２】
2018130222.tif 000005
【図３】
2018130222.tif 000006
【図４】
2018130222.tif 000007
【図５】
2018130222.tif 000008
【図６】
2018130222.tif 000009
【図７】
2018130222.tif 000010
【図８】
2018130222.tif 000011
【図９】
2018130222.tif 000012
【図１０】
2018130222.tif 000013